(57)【要約】【課題】下部搬送装置と挟持杆との上下方向の相対位置を調節することが可能なコンバインの刈取部を提供する。【解決手段】左挟持杆１１１を支持するとともに、開口部１１２ａを有するガイドホルダ１１２と、開口部１１２ａに下方から嵌め合わされ、ガイドホルダ１１２と締結具により締結されるホルダ支持部材１１３と、ホルダ支持部材１１３との当接部でホルダ支持部材１１３と締結具により締結されるホルダフレーム１１４とを備え、締結具による締結又はその解除をガイドホルダ１１２の開口部１１２ａから行って、ガイドホルダ１１２をホルダ支持部材１１３に対して上下方向に移動させて調節可能に構成するとともに、ホルダ支持部材１１３をホルダフレーム１１４に対して左下部搬送装置５６に近接又は離間する方向に移動させて当該左下部搬送装置５６との隙間調節可能に構成した。【選択図】図７
2010273570.tif 000002
【特許請求の範囲】
【請求項１】
刈取穀稈の株元部を挟持杆とで挟持しながら搬送し、その搬送方向終端部で合流させる左右一対の下部搬送手段を備えるコンバインの刈取部であって、
前記挟持杆を支持するガイドホルダと、
前記ガイドホルダと締結具により締結されるホルダ支持部材と、
前記ホルダ支持部材と締結具により締結されるホルダフレームとを備え、
前記ガイドホルダは、前記ホルダ支持部材に対して上下方向に調節可能に構成され、
前記ホルダ支持部材は、前記ホルダフレームに対して前記下部搬送手段に近接又は離間する方向に調節可能に構成されるコンバインの刈取部。
【請求項２】
前記ガイドホルダは、
上下方向に開口する開口部を有し、
前記ホルダ支持部材は、
前記開口部に下方から嵌め合わされるとともに、その嵌め合わせ部に長孔を上下方向に形成され、
前記長孔に通される前記締結具により前記ガイドホルダを前記ホルダ支持部材に締結する請求項１に記載のコンバインの刈取部。
【請求項３】
前記締結具による前記ホルダ支持部材と前記ホルダフレームとの締結を解除することにより、前記ガイドホルダと前記ホルダ支持部材とを一体的に前記ホルダフレームから取り外し可能に構成する請求項１又は請求項２に記載のコンバインの刈取部。
【発明の詳細な説明】
【技術分野】
【０００１】
本発明は、コンバインの刈取部の技術に関し、より詳細には、コンバインの刈取部の下部搬送装置において、無端回動チェーンとの間に穀稈を挟持する挟持杆を支持する支持部材の技術に関する。
【背景技術】
【０００２】
従来、コンバインの刈取部は、刈刃により刈り取った穀稈の株元部を、下部搬送装置の無端回動チェーンと挟持杆との間に挟持した状態で後方へ搬送するように構成されており、この挟持杆を支持する構造に関する技術は公知となっている。このような技術としては、特許文献１に記載の技術が知られている。
【０００３】
特許文献１に記載のコンバインは、下部搬送装置の無端回動チェーンとの間に穀稈を挟持する挟持杆と、前記挟持杆を支持する挟持杆支持台と、前記挟持杆支持台を前記無端回動チェーンに対して近接又は離間させる方向に移動自在に支持する固定ブラケットと、を具備するものである。このような構成において、前記挟持杆支持台を無端回動チェーンから離間する方向に移動させることによって、前記無端回動チェーンと前記挟持杆とを互いに離間させることができる。
【０００４】
しかし、特許文献１に記載のコンバインでは、前記下部搬送装置の前記無段回動チェーンに対する前記挟持杆の上下方向の相対位置を調節しにくく、前記挟持杆を穀稈を搬送するために最適な相対位置に簡単に移動させることができない点で不利であった。
【先行技術文献】
【特許文献】
【０００５】
【特許文献１】特開２００４−１５４１４５号公報
【発明の概要】
【発明が解決しようとする課題】
【０００６】
本発明は、以上の如き状況を鑑みてなされたものであり、下部搬送装置と挟持杆との隙間の調節を可能とするとともに、前記下部搬送装置と前記挟持杆との上下方向の相対位置を容易に調節することが可能なコンバインの刈取部を提供するものである。
【課題を解決するための手段】
【０００７】
請求項１においては、
刈取穀稈の株元部を挟持杆とで挟持しながら搬送し、その搬送方向終端部で合流させる左右一対の下部搬送手段を備えるコンバインの刈取部であって、
前記挟持杆を支持するガイドホルダと、
前記ガイドホルダと締結具により締結されるホルダ支持部材と、
前記ホルダ支持部材と締結具により締結されるホルダフレームとを備え、
前記ガイドホルダは、前記ホルダ支持部材に対して上下方向に調節可能に構成され、
前記ホルダ支持部材は、前記ホルダフレームに対して前記下部搬送手段に近接又は離間する方向に調節可能に構成されるものである。
【０００８】
請求項２においては、
前記ガイドホルダは、
上下方向に開口する開口部を有し、
前記ホルダ支持部材は、
前記開口部に下方から嵌め合わされるとともに、その嵌め合わせ部に長孔を上下方向に形成され、
前記長孔に通される前記締結具により前記ガイドホルダを前記ホルダ支持部材に締結するものである。
【０００９】
請求項３においては、
前記締結具による前記ホルダ支持部材と前記ホルダフレームとの締結を解除することにより、前記ガイドホルダと前記ホルダ支持部材とを一体的に前記ホルダフレームから取り外し可能に構成するものである。
【発明の効果】
【００１０】
本発明の効果として、以下に示すような効果を奏する。
【００１１】
請求項１においては、締結具による締結又はその解除を行うことで、下部搬送手段と挟持杆との隙間の調節を可能とするとともに、前記下部搬送手段と前記挟持杆との上下方向の相対位置を容易に調節することが可能となる。
【００１２】
請求項２においては、前記下部搬送手段と前記挟持杆との上下方向の相対位置を調節するための構造を簡単に構成することができる。また、前記締結具による締結及び解除作業をガイドホルダの開口部から行うことが可能となる。従って、各締結具の締結及び解除作業を容易にかつ速やかに行うことができる。
【００１３】
請求項３においては、前記ガイドホルダと前記ホルダ支持部材とを一体的に前記ホルダフレームから取り外すことが可能となり、部材の取り扱い（保管、持ち運び、交換等）を容易に行うことができる。
【図面の簡単な説明】
【００１４】
【図１】本発明の実施形態に係る刈取部を具備するコンバインの全体側面図。
【図２】同じく平面図。
【図３】本発明の実施形態に係る刈取部の側面概略図。
【図４】同じく平面概略図。
【図５】挟持機構を示す斜視図。
【図６】同じく平面図。
【図７】左挟持機構の組み付けの様子を示す斜視図。
【図８】左挟持機構の組み付けの様子を示す斜視図。
【図９】左挟持機構及び左無端回動チェーンの配置を示す平面図。
【図１０】左挟持機構の無端回動チェーンとの隙間調節の様子を示す平面図。
【図１１】左挟持機構及び左無端回動チェーンの配置を示す側面断面図。
【図１２】左挟持機構の無端回動チェーンに対する上下方向位置の調節の様子を示す側面断面図。
【発明を実施するための形態】
【００１５】
以下では、本発明に係るコンバインの刈取部の一実施形態である刈取部４を具備するコンバイン１について説明する。
【００１６】
図１及び図２に示すように、コンバイン１は、左右一対の走行クローラ３によって走行機体２が支持されており、この走行機体２の前部には、穀稈を刈り取りながら取り込む刈取部４が昇降調節可能に装着されている。走行機体２の左側には、刈り取られた穀稈を脱穀、選別する脱穀部５が配設され、走行機体２の右側には、脱穀後の穀粒を貯留する穀粒タンク６が、脱穀部５と横並びに配設されている。走行機体２の後部には、排出オーガ７が旋回可能に設けられており、穀粒タンク６の内部の穀粒が、排出オーガ７の籾投げ口７ａからトラックの荷台又はコンテナ等に排出されるように構成されている。そして、穀粒タンク６の前方には、運転部８が配設されている。
【００１７】
以下では、図３から図５までを用いて刈取部４について説明する。
【００１８】
上述の如く、刈取部４は、穀稈を刈り取りながら取り込むものである。刈取部４は、主として刈取フレーム１０、分草板３０、引起装置４０、搬送装置５０、挟持機構１００、切断装置７０、ガイドバネ８０を具備する。
【００１９】
図３に示すように、刈取フレーム１０は、刈取部４の主たる構造体となるものである。刈取フレーム１０は、主として刈取入力パイプ１１、縦伝動パイプ１２、横伝動パイプ１３、分草フレーム１４、駆動パイプ１５、引起縦伝動パイプ１６、引起横伝動パイプ１７、引起駆動パイプ１８、連結フレーム１９、支持パイプ２０を具備する。
【００２０】
刈取入力パイプ１１は、機体フレームの前端部に、その軸線方向が左右方向と一致するように配置される。縦伝動パイプ１２は、刈取入力パイプ１１の前方に配置され、刈取入力パイプ１１の左右中途部から前斜下方へ向けて延設される。横伝動パイプ１３は、縦伝動パイプ１２の前方に配置され、縦伝動パイプ１２の先端部から左右方向へ延設される。
【００２１】
複数の分草フレーム１４・１４・・・は、横伝動パイプ１３の前方に配置され、左右方向に適宜の間隔をとって互いに平行に並設される。駆動パイプ１５は、横伝動パイプ１３の前斜下方に配置され、最外側に位置する左右の分草フレーム１４・１４の間に左右方向に水平に横設される。つまり、駆動パイプ１５は、横伝動パイプ１３と前後方向に所定間隔をとって互いに平行に並設される。
【００２２】
引起縦伝動パイプ１６は、横伝動パイプ１３の上方に配置され、横伝動パイプ１３の左端部から前斜上方へ向けて立設される。引起横伝動パイプ１７は、横伝動パイプ１３の前上方に配置され、引起縦伝動パイプ１６の上端部に右方向に水平に横設される。
【００２３】
複数の引起駆動パイプ１８・１８・・・は、引起横伝動パイプ１７の下方に配置され、引起横伝動パイプ１７の左右中途部から左右方向に所定間隔ごとに下方へ向けて延設される。また、連結フレーム１９は、引起横伝動パイプ１７の後方に配置され、引起横伝動パイプ１７の左右中途部から縦伝動パイプ１２の後部まで後方へ向けて延設される。
【００２４】
支持パイプ２０は、引起横伝動パイプ１７の下方に配置され、引起横伝動パイプ１７の左右中途部から下方へ向けて延設される。支持パイプ２０の下端は、左右中央の分草フレーム１４に連結される（図５参照）。
【００２５】
こうして、刈取フレーム１０は、刈取入力パイプ１１と、縦伝動パイプ１２と、横伝動パイプ１３と、複数の分草フレーム１４と、駆動パイプ１５と、引起縦伝動パイプ１６と、引起横伝動パイプ１７と、複数の引起駆動パイプ１８と、連結フレーム１９と、支持パイプ２０とを一体的に連結して構成される。
【００２６】
図３及び図４に示すように、分草板３０は、圃場の穀稈を一条ごとに分離（分草）するものである。分草板３０・３０・・・は、それぞれ先端（前端）が細くなるように形成され、分草フレーム１４・１４・・・の前端部に突設される。
【００２７】
図３に示すように、引起装置４０は、分草後の穀稈を引き起こすものである。引起装置４０は、複数の引起ケース４１・４１・・・や、引起ケース４１に回転駆動可能に巻回されるタイン付チェーン４２・４２・・・等を具備する。引起ケース４１は分草板３０の後方で左右方向に適宜の間隔をとって並べて配置され、分草フレーム１４と引起駆動パイプ１８との間に前低後高の傾斜状に立設される。
【００２８】
図３から図５までに示すように、搬送装置５０は、引起装置４０により引き起こされた穀稈を後方へと搬送するものである。搬送装置５０は、主として掻込機構５１、搬送機構５５を具備する。
【００２９】
図３及び図４に示すように、掻込機構５１は、引起装置４０により引き起こされた穀稈の株元側を束にして掻き込むものである。掻込機構５１は、搬送装置５０の前部側に配置され、この搬送装置５０の搬送始端部に設けられている。
【００３０】
掻込機構５１には、左掻込装置５２と、右掻込装置５３と、四つの掻込輪５４・５４・・・とが具備される。左掻込装置５２及び右掻込装置５３は、それぞれ左右一対で一組の突起付ベルトなどを有し、これらを回転駆動可能とするように構成される。左掻込装置５２及び右掻込装置５３は、それぞれ引起ケース４１の後方に配置され、引起ケース４１側から後方へ向けて、前低後高の傾斜状に延設される。
【００３１】
四つの掻込輪５４・５４・・・は、それぞれスターホイルとされ、回転駆動可能に構成される。各掻込輪５４は、左掻込装置５２及び右掻込装置５３の各突起付ベルトの後部下方に配置され、前低後高の傾斜状に設けられる。
【００３２】
図３から図５までに示すように、搬送機構５５は、搬送装置５０の後部側に配置され、搬送装置５０の搬送中途部及び搬送終端部に設けられている。搬送機構５５には、左下部搬送装置５６と、右下部搬送装置５７と、上部搬送装置５８と、縦搬送装置５９と、補助搬送装置６０とが具備される。各搬送装置はチェーンなどを有し、これらを回転駆動可能とするように構成される。
【００３３】
図４及び図５に示すように、左下部搬送装置５６は、穀稈を搬送するための左無端回動チェーン５６ａを具備する。左無端回動チェーン５６ａは、左回転輪５６ｂ等に巻回される。左無端回動チェーン５６ａの右側部は、左回転輪５６ｂの前下方に配置される左案内板５６ｃ（図５参照）により案内される。左下部搬送装置５６は、左掻込装置５２の後方に配置され、左掻込装置５２側から右斜後方へ向けて、前低後高の傾斜状に延設される。
【００３４】
右下部搬送装置５７は、穀稈を搬送するための右無端回動チェーン５７ａを具備する。右無端回動チェーン５７ａは、右回転輪５７ｂ等に巻回される。右無端回動チェーン５７ａの左側部は、右回転輪５７ｂの前下方に配置される右案内板５７ｃ（図５参照）により案内される。右下部搬送装置５７は、右掻込装置５３の後方に配置され、右掻込装置５３側から左斜後方へ向けて前低後高の傾斜状に延設される。左下部搬送装置５６の搬送終端部（右後端部）は、右下部搬送装置５７の搬送終端部（左後端部）と近接するように配置される。以下では、この左下部搬送装置５６と右下部搬送装置５７とが近接する部分を合流部と記す。
【００３５】
図３及び図４に示すように、上部搬送装置５８は、引起装置４０の後方であって右下部搬送装置５７の上方に配置され、右掻込装置５３側から左斜後方へ向けて、前低後高の傾斜状に延設される。縦搬送装置５９は、左下部搬送装置５６の後方であって、上部搬送装置５８の下方に配置され、左下部搬送装置５６側から左斜後方へ向けて前低後高の傾斜状に延設される。補助搬送装置６０は、縦搬送装置５９の後方であって、上部搬送装置５８の下方に配置され、縦搬送装置５９側から後方へ向けて脱穀部５の脱穀搬送装置５ａまで延設される。
【００３６】
図５及び図６に示すように、挟持機構１００は、左下部搬送装置５６及び右下部搬送装置５７との間に穀稈を挟持し、搬送装置５０による穀稈の搬送を補助するものである。挟持機構１００は、主として左挟持機構１１０、右挟持機構１２０を具備する。
【００３７】
左挟持機構１１０は、左挟持杆１１１等を具備し、当該左挟持杆１１１と左無端回動チェーン５６ａとの間に穀稈を挟持するものである。右挟持機構１２０は、右挟持杆１２１等を具備し、当該右挟持杆１２１と右無端回動チェーン５７ａとの間に穀稈を挟持するものである。挟持機構１００の詳細については後述する。
【００３８】
図３に示すように、切断装置７０は、引起装置４０により引き起こされた穀稈を株元側で切断するものである。切断装置７０は、掻込機構５１の下方に配置され、前低後高の傾斜状に設けられる。
【００３９】
図３から図５までに示すように、ガイドバネ８０は、板材を略Ｕ字状に折り曲げて形成される部材である。ガイドバネ８０は、板材を略Ｌ字状に折り曲げて形成されたガイドバネブラケット８１を介して、支持パイプ２０に固設される。ガイドバネ８０は、左掻込装置５２及び右掻込装置５３が形成する仮想平面と略同一平面上に位置するように、支持パイプ２０に配置される。ガイドバネ８０の一端側は、左下部搬送装置５６により搬送される穀稈を合流部へ案内するように、他端側は、右下部搬送装置５７により搬送される穀稈を合流部へ案内するように、それぞれ配置される。
【００４０】
さらに、図３に示すように、各装置を支持する刈取フレーム１０においては、刈取入力パイプ１１の内部に刈取入力軸１１ａが内挿されるとともに、その他の各パイプの内部に刈取伝動軸が内挿される。そして、引起装置４０や搬送装置５０等が各刈取伝動軸や刈取入力軸１１ａを介して図示せぬエンジンと連動連結される。こうして、引起装置４０や搬送装置５０等は、前記エンジンを駆動源としてこれから供給される動力を得て、駆動することができるように構成される。
【００４１】
図３から図５までに示すように、上述のごとく構成された刈取部４において、各装置が駆動される場合に、分草板３０により圃場の穀稈が一条ごとに分離するように分草された後、引起装置４０で引起ケース４１により分草後の穀稈が引き起こされる。つづいて、搬送装置５０の掻込機構５１で左掻込装置５２及び右掻込装置５３と掻込輪５４とによりそれぞれ左又は右側二つの引起ケース４１・４１の間から導入される引起後の左又は右側二条分の穀稈の株元側が一束に掻寄せられ掻き込まれる。
【００４２】
このとき、切断装置７０により引起後の穀稈が株元側で切断される。切断された後、穀稈は搬送装置５０の搬送機構５５で右下部搬送装置５７により右二条分の穀稈が左斜後方へ搬送されると同時に、左下部搬送装置５６により左二条分の穀稈が右斜後方へ搬送されて、四条分の穀稈の株元側が合流部で合流させられる。
【００４３】
次に、上部搬送装置５８により四条分の穀稈の穂先側が寄せ集められながら左斜後方へ搬送されるとともに、縦搬送装置５９により右下部搬送装置５７の搬送終端部付近にて合流させられた四条分の穀稈の株元側が脱穀部５の脱穀搬送装置５ａへ向けて後斜上方に搬送され、補助搬送装置６０により穀稈の株元側が縦搬送装置５９から脱穀部５の脱穀搬送装置５ａへ渡される。このようにして、刈取部４で穀稈の一連の刈取作業が行われる。
【００４４】
また、刈取部４において、刈取フレーム１０は、縦伝動パイプ１２の前後中途部を走行機体２の前下部から前方へ向けて延設される昇降シリンダ９（図３参照）の先端部に連結させ、この昇降シリンダ９の伸縮駆動に応じて刈取入力パイプ１１回りに上下方向に回動可能に構成される。
【００４５】
刈取フレーム１０は、昇降シリンダ９の伸長駆動時には、刈取入力パイプ１１回りに上方へ回動され、昇降シリンダ９の収縮駆動時には、刈取入力パイプ１１回りに下方へ回動される。これにより、刈取部４全体が、刈取フレーム１０の上方への回動時に、機体に対して上昇され、刈取フレーム１０の下方への回動時に、機体に対して下降される。
【００４６】
以下では、図５から図８までを用いて、挟持機構１００の構成について詳細に説明する。挟持機構１００は、上述の如く、主として左挟持機構１１０、右挟持機構１２０を具備する。
【００４７】
図５から図８までに示すように、左挟持機構１１０は、左無端回動チェーン５６ａとの間に穀稈を挟持するものである。左挟持機構１１０は、主として左挟持杆１１１、ガイドホルダ１１２、ホルダ支持部材１１３、ホルダフレーム１１４を具備する。
【００４８】
図７に示すように、左挟持杆１１１は、丸棒状の部材を略Ｊ字状に折り曲げて形成される部材である。左挟持杆１１１は、左下部搬送装置５６による穀稈の搬送方向に沿って延伸され、左無端回動チェーン５６ａの右側部に対向して配置される（図５及び図６参照）。左挟持杆１１１の一端側（前端側）は、左掻込装置５２の下方に配置される二つの掻込輪５４のうち、掻込機構５１内側の掻込輪５４の駆動軸を前方から巻くように折り曲げ形成される（図５参照）。左挟持杆１１１の他端側（後端側）には、２本の丸棒状の支持部材１１５・１１５が、当該左挟持杆１１１と直交しかつ互いに平行となるように、所定間隔を置いて固設される。支持部材１１５の中途部には、その前後を貫通する貫通孔１１５ａがそれぞれ形成される。
【００４９】
ガイドホルダ１１２は、略矩形状の板材を略Ｕ字状に折り曲げて形成される部材である。ガイドホルダ１１２は、左挟持杆１１１の延伸方向に沿って延伸され、下向きに開口した状態で左挟持杆１１１の側方に配置される。ガイドホルダ１１２の上面の略中央部には、その上下を貫通する矩形状の開口部１１２ａが形成される。ガイドホルダ１１２の一側面の前後両端近傍には、当該側面を貫通する２つの貫通孔１１２ｂ・１１２ｂがそれぞれ形成される。ガイドホルダ１１２の他側面の前後両端近傍かつ貫通孔１１２ｂ・１１２ｂと対向する位置には、当該側面を貫通する２つの貫通孔１１２ｃ・１１２ｃがそれぞれ形成される。
【００５０】
ガイドホルダ１１２の一側面の前後略中央部（開口部１１２ａの前後幅内）には、締結具である２つのボルト１１２ｄ・１１２ｄが前後方向に互いに所定間隔を置いて固設される。ボルト１１２ｄ・１１２ｄは、ガイドホルダ１１２の一側面を一側から他側へ向けて貫通した状態でガイドホルダ１１２に固設され、そのネジ部がガイドホルダ１１２の内側で開口部１１２ａに臨むように配置される。
【００５１】
ガイドホルダ１１２の他側面の前後略中央部（開口部１１２ａの前後幅内）には、締結具であるボルト１１２ｅが固設される。ボルト１１２ｅは、ガイドホルダ１１２の他側面を一側から他側へ向けて貫通した状態でガイドホルダ１１２に固設され、そのネジ部がガイドホルダ１１２の外側に位置するように配置される。
【００５２】
ホルダ支持部材１１３は、略矩形状の板材を略Ｕ字状に折り曲げて形成される部材である。ホルダ支持部材１１３は、左挟持杆１１１の延伸方向に沿って延伸され、上向きに開口した状態でガイドホルダ１１２の下方に配置される。ホルダ支持部材１１３の下面には、その上下を貫通する２つの隙間調節用長孔１１３ａ・１１３ａが、前後方向に互いに所定間隔を置いて形成される。隙間調節用長孔１１３ａ・１１３ａは、その長手方向両端がそれぞれホルダ支持部材１１３の一側面及び他側面を向くように形成される。
【００５３】
ホルダ支持部材１１３の一側面の前後両端近傍には、当該側面を貫通する２つの上下調節用長孔１１３ｂ・１１３ｂが、前後方向に互いに所定間隔を置いて形成される。当該２つの上下調節用長孔１１３ｂ・１１３ｂの間隔は、ガイドホルダ１１２に固設される２つのボルト１１２ｄ・１１２ｄの間隔と略同一に設定される。上下調節用長孔１１３ｂ・１１３ｂは、その長手方向が上下方向となるように形成される。
【００５４】
ホルダ支持部材１１３の他側面の前後略中央部には、当該側面を貫通する上下調節用長孔１１３ｃが形成される。上下調節用長孔１１３ｃは、その長手方向が上下方向となるように形成される。
【００５５】
図８に示すように、ホルダフレーム１１４は、略矩形状の板材を水平部と鉛直部とからなる略Ｌ字状に折り曲げて形成される部材である。ホルダフレーム１１４の上面の後端近傍には、当該上面を貫通する２つの貫通孔１１４ａ・１１４ａが、互いに所定間隔を置いて形成される。当該２つの貫通孔１１４ａ・１１４ａの間隔は、ホルダ支持部材１１３に形成される２つの隙間調節用長孔１１３ａ・１１３ａの間隔と略同一に設定される。２つの貫通孔１１４ａ・１１４ａの下方には、締結具であるナット１１４ｂ・１１４ｂがそれぞれ固設される。ホルダフレーム１１４の前端は、連結ブラケット１１４ｃを介して支持パイプ２０の中途部に固設される（図５参照）。
【００５６】
以下では、図７及び図８を用いて、左挟持機構１１０の組み付け方法について説明する。
【００５７】
図７に示すように、左挟持杆１１１の支持部材１１５・１１５は、ガイドホルダ１１２の一側方から貫通孔１１２ｂ、平座金１３１、平座金１３２、圧縮バネ１３３、平座金１３４、及び貫通孔１１２ｃに、それぞれ順に挿通される。スナップピン１３５は、平座金１３１と平座金１３２との間において、支持部材１１５の貫通孔１１５ａに挿通される。
【００５８】
このような構成において、左挟持杆１１１は圧縮バネ１３３・１３３によって常時ガイドホルダ１１２の一側方に向かって付勢された状態でガイドホルダ１１２に支持される。左挟持杆１１１に、ガイドホルダ１１２と近接する方向の力が加わった場合、左挟持杆１１１は圧縮バネ１３３・１３３の付勢力に抗してガイドホルダ１１２と近接する。また、当該力が解除された場合、左挟持杆１１１は圧縮バネ１３３・１３３の付勢力により再びガイドホルダ１１２と離間し、所定の位置で支持される。
【００５９】
ガイドホルダ１１２のボルト１１２ｄ・１１２ｄ及びボルト１１２ｅは、ホルダ支持部材１１３の一側方から上下調節用長孔１１３ｂ・１１３ｂ及び上下調節用長孔１１３ｃにそれぞれ挿通される。すなわち、ホルダ支持部材１１３は、ガイドホルダ１１２の開口部１１２ａの下方から、当該ガイドホルダ１１２に嵌め合わされる。ホルダ支持部材１１３に挿通されたボルト１１２ｄ・１１２ｄ及びボルト１１２ｅのネジ部は、それぞれ平座金１３６に挿通され、締結具であるナット１３７により締結される。なお、図７においては、説明の便宜上、ボルト１１２ｄ・１１２ｄに挿通される平座金１３６及びボルト１１２ｄと締結されるナット１３７の図示を省略している。
【００６０】
このような構成において、ガイドホルダ１１２はホルダ支持部材１１３に取り付けられる。また、ナット１３７を緩めた状態で、ガイドホルダ１１２を移動させることで、ボルト１１２ｄ・１１２ｄ及びボルト１１２ｅの上下調節用長孔１１３ｂ・１１３ｂ及び上下調節用長孔１１３ｃにおける上下方向位置を任意に変更することができる。従って、所望の位置においてナット１３７を再び締結することで、ホルダ支持部材１１３に対するガイドホルダ１１２の上下方向位置を、上下調節用長孔１１３ｂ・１１３ｂ及び上下調節用長孔１１３ｃの長手方向幅内で任意に調節することができる。
【００６１】
図８に示すように、ホルダ支持部材１１３の隙間調節用長孔１１３ａ１１３ａには、その上方からボルト１３８・１３８がそれぞれガイドホルダ１１２の開口部１１２ａを経て挿通される。ホルダ支持部材１１３に挿通されたボルト１３８・１３８は、それぞれホルダフレーム１１４の貫通孔１１４ａ・１１４ａに挿通され、ナット１１４ｂ・１１４ｂに締結される。これによって、ホルダ支持部材１１３は、ガイドホルダ１１２の開口部１１２ａと対向する下面においてホルダフレーム１１４と当接した状態で、当該ホルダフレーム１１４に固定される。
【００６２】
このような構成において、ホルダ支持部材１１３はホルダフレーム１１４に取り付けられる。また、ボルト１３８・１３８を緩めた状態で、ホルダ支持部材１１３を移動させることで、ボルト１３８・１３８の隙間調節用長孔１１３ａ・１１３ａにおける長手方向位置を任意に変更することができる。従って、所望の位置においてボルト１３８・１３８を再び締結することで、ホルダフレーム１１４に対するホルダ支持部材１１３の位置を、隙間調節用長孔１１３ａ・１１３ａの長手方向幅内で任意に調節することができる。
【００６３】
以下では、図８から図１２までを用いて、左挟持機構１１０の位置調節の様子について説明する。
【００６４】
図９に示すように、ボルト１３８・１３８を、隙間調節用長孔１１３ａ・１１３ａの左無端回動チェーン５６ａの右側部から離れた側の端部に挿通した状態で締結することにより、ホルダ支持部材１１３を左無端回動チェーン５６ａの右側部に最も近接する位置でホルダフレーム１１４に固定することができる。すなわち、左挟持杆１１１を左無端回動チェーン５６ａの右側部に最も近接する位置で支持することができる。
【００６５】
図１０に示すように、左挟持杆１１１を左無端回動チェーン５６ａの右側部から離間させる場合、まずボルト１３８・１３８を緩め、ホルダ支持部材１１３を左無端回動チェーン５６ａの右側部と離間する方向に移動させる。その後、再びボルト１３８・１３８を締結することにより、左挟持杆１１１を左無端回動チェーン５６ａの右側部から離間させた状態で支持することができる。この際、ボルト１３８・１３８を、隙間調節用長孔１１３ａ・１１３ａの左無端回動チェーン５６ａの右側部に近い側の端部に挿通した状態で締結することにより、左挟持杆１１１を左無端回動チェーン５６ａから最も離間させることができる（図１０に示す状態）。
【００６６】
上記の如く、ボルト１３８・１３８を緩めて、ホルダ支持部材１１３の取り付け位置を任意の位置に変更し、再びボルト１３８・１３８を締結することで、左挟持杆１１１と左無端回動チェーン５６ａとの隙間を任意に調節することができる。また、上記の如くボルト１３８・１３８を締結又は解除する場合、ガイドホルダ１１２の開口部１１２ａから工具を挿入し、左挟持機構１１０の上方から当該作業を行うことができる。従って、ボルト１３８・１３８の締結及び解除作業を容易に行うことができる。
【００６７】
図１１に示すように、ボルト１１２ｄ・１１２ｄ及びボルト１１２ｅを、上下調節用長孔１１３ｂ・１１３ｂ及び上下調節用長孔１１３ｃの上端部にそれぞれ挿通した状態で、ナット１３７・１３７・・・により締結することにより、ガイドホルダ１１２のホルダ支持部材１１３に対する上下方向位置を最上位置で固定することができる。すなわち、左挟持杆１１１を、左無端回動チェーン５６ａの右側部に対する上下方向位置における最上位置で支持することができる。
【００６８】
図１２に示すように、左挟持杆１１１の左無端回動チェーン５６ａに対する上下方向位置を調節する場合、まずナット１３７・１３７・・・を緩め、ガイドホルダ１１２を上下方向に移動させる。その後、再びナット１３７・１３７・・・を締結することにより、左挟持杆１１１の左無端回動チェーン５６ａに対する上下方向位置を調節することができる。例えば、図１２に示すように、ボルト１１２ｄ・１１２ｄ及びボルト１１２ｅを、上下調節用長孔１１３ｂ・１１３ｂ及び上下調節用長孔１１３ｃの下端部にそれぞれ挿通した状態で、ナット１３７・１３７・・・により締結することにより、左挟持杆１１１の左無端回動チェーン５６ａの右側部に対する上下方向位置を最下位置に調節することができる。
【００６９】
上記の如く、ナット１３７・１３７・・・を緩めて、ガイドホルダ１１２の上下方向取り付け位置を任意の位置に変更し、再びナット１３７・１３７・・・を締結することで、左挟持杆１１１と左無端回動チェーン５６ａの右側部との上下方向における相対位置を任意に調節することができる。また、上記の如くボルト１１２ｄ・１１２ｄに締結されるナット１３７・１３７を締結又は解除する場合、ガイドホルダ１１２の開口部１１２ａから工具を挿入し、左挟持機構１１０の上方から当該作業を行うことができる。従って、当該ナット１３７・１３７の締結及び解除作業を容易に行うことができる。
【００７０】
また、図８に示すように、ボルト１３８・１３８を取り外すことで、左挟持杆１１１、ガイドホルダ１１２、及びホルダ支持部材１１３を互いに一体的に組み付けた状態で、ホルダフレーム１１４（支持パイプ２０等からなる刈取フレーム１０）から取り外すことができる。従って、左挟持杆１１１、ガイドホルダ１１２、及びホルダ支持部材１１３を一体的に保管、持ち運び、交換等することができ、部材の取り扱いを容易に行うことができる。
【００７１】
図５及び図６に示すように、右挟持機構１２０は、右無端回動チェーン５７ａとの間に穀稈を挟持するものである。右挟持機構１２０は、主として右挟持杆１２１、ガイドホルダ１１２、ホルダ支持部材１１３、ホルダフレーム１２４を具備する。なお、右挟持機構１２０のガイドホルダ１１２及びホルダ支持部材１１３は、左挟持機構１１０のガイドホルダ１１２及びホルダ支持部材１１３と略同一の構成である。よって、以下では左挟持機構１１０と略同一の構成の部材には同一の符号を付し、説明を省略する。
【００７２】
右挟持杆１２１は、丸棒状の部材を略Ｊ字状に折り曲げて形成される部材である。右挟持杆１２１は、右下部搬送装置５７による穀稈の搬送方向に沿って延伸され、右無端回動チェーン５７ａの左側部に対向して配置される（図５及び図６参照）。右挟持杆１２１の一端側（前端側）は、右掻込装置５３の下方に配置される二つの掻込輪５４のうち、掻込機構５１内側の掻込輪５４の駆動軸を前方から巻くように折り曲げ形成される（図５参照）。右挟持杆１２１の他端側（後端側）には、２本の丸棒状の支持部材１２５・１２５が、当該右挟持杆１２１と直交しかつ互いに平行となるように、所定間隔を置いて固設される。支持部材１２５・１２５は、右挟持機構１２０のガイドホルダ１１２に支持される。
【００７３】
ホルダフレーム１２４は、略矩形状の板材を水平部と鉛直部とからなる略Ｌ字状に折り曲げて形成される部材である。ホルダフレーム１２４の前端は、連結ブラケット１２４ｃを介して支持パイプ２０の中途部に固設される（図５参照）。ホルダフレーム１２４の後端部は、連結パイプ１２４ｄによってホルダフレーム１１４と連結される。これによって、ホルダフレーム１１４及びホルダフレーム１２４の取り付け強度を向上させることができる。
【００７４】
ホルダフレーム１２４の上面の後端近傍には、左挟持機構１１０と同様に、ボルト１３８・１３８によって右挟持機構１２０のホルダ支持部材１１３が取り付けられる。
【００７５】
このように構成された右挟持機構１２０においては、左挟持機構１１０と同様に、右挟持杆１２１と右無端回動チェーン５７ａの左側部との相対位置を調節することができる。すなわち、右挟持機構１２０のホルダ支持部材１１３のホルダフレーム１２４に対する取り付け位置を調節することで、右挟持杆１２１と右無端回動チェーン５７ａの左側部との相対位置（隙間）を調節することができる。また、右挟持機構１２０のガイドホルダ１１２のホルダ支持部材１１３に対する上下方向位置を調節することで、右挟持杆１２１と右無端回動チェーン５７ａの左側部との上下方向の相対位置を調節することができる。
【００７６】
また、上述の如く、左挟持機構１１０と右挟持機構１２０のガイドホルダ１１２やホルダ支持部材１１３等の部材を略同一構成として共通化することにより、コストの削減を図ることができる。
【００７７】
以上の如く、本実施形態に係るコンバイン１の刈取部４は、
刈取穀稈の株元部を左挟持杆１１１及び右挟持杆１２１とで挟持しながら搬送し、その搬送方向終端部で合流させる左右一対の左下部搬送装置５６及び右下部搬送装置５７を備えるコンバイン１の刈取部４であって、
左挟持杆１１１及び右挟持杆１２１をそれぞれ支持するガイドホルダ１１２・１１２と、
ガイドホルダ１１２・１１２とボルト１１２ｄ・１１２ｄ及びボルト１１２ｅ並びにナット１３７・１３７・・・によりそれぞれ締結されるホルダ支持部材１１３・１１３と、
ホルダ支持部材１１３・１１３とボルト１３８・１３８及びナット１１４ｂ・１１４ｂによりそれぞれ締結されるホルダフレーム１１４・１２４とを備え、
ガイドホルダ１１２・１１２は、ホルダ支持部材１１３・１１３に対して上下方向に調節可能に構成され、
ホルダ支持部材１１３・１１３は、ホルダフレーム１１４・１２４に対して左下部搬送装置５６及び右下部搬送装置５７に近接又は離間する方向に調節可能に構成されるものである。
このように構成することにより、各締結具による締結又はその解除を行うことで、左下部搬送装置５６及び右下部搬送装置５７と左挟持杆１１１及び右挟持杆１２１との隙間の調節を可能とするとともに、左下部搬送装置５６及び右下部搬送装置５７と左挟持杆１１１及び右挟持杆１２１との上下方向の相対位置を容易に調節することが可能となる。その結果、左挟持杆１１１及び右挟持杆１２１を穀稈を搬送するために最適な相対位置に簡単に移動させることができる。
【００７８】
また、本実施形態のガイドホルダ１１２・１１２は、
上下方向に開口する開口部１１２ａ・１１２ａをそれぞれ有し、
ホルダ支持部材１１３・１１３は、
開口部１１２ａ・１１２ａに下方からそれぞれ嵌め合わされるとともに、その嵌め合わせ部に上下調節用長孔１１３ｂ・１１３ｂ及び上下調節用長孔１１３ｃを上下方向に形成され、
上下調節用長孔１１３ｂ・１１３ｂ及び上下調節用長孔１１３ｃに通されるボルト１１２ｄ・１１２ｄ及びボルト１１２ｅによりガイドホルダ１１２・１１２をホルダ支持部材１１３・１１３にそれぞれ締結するものである。
このように構成することにより、左下部搬送装置５６及び右下部搬送装置５７と左挟持杆１１１及び右挟持杆１２１との上下方向の相対位置を調節するための構造を簡単に構成することができる。すなわち、ホルダ支持部材１１３に上下調節用長孔１１３ｂ・１１３ｂ及び上下調節用長孔１１３ｃを形成するだけで、複雑な部材を用いることなくガイドホルダ１１２の上下方向位置を調節するための構造を構成することができる。また、前記締結具による締結及び解除作業をガイドホルダ１１２の開口部１１２ａから行うことが可能となる。従って、各締結具の締結及び解除作業を容易にかつ速やかに行うことができる。
【００７９】
また、本実施形態のコンバイン１の刈取部４は、
ボルト１３８・１３８によるホルダ支持部材１１３・１１３とホルダフレーム１１４・１２４との締結をそれぞれ解除することにより、ガイドホルダ１１２・１１２とホルダ支持部材１１３・１１３とを一体的にホルダフレーム１１４・１２４から取り外し可能に構成するものである。
このように構成することにより、ガイドホルダ１１２とホルダ支持部材１１３とを一体的に取り外すことが可能となり、左挟持杆１１１（右挟持杆１２１）、ガイドホルダ１１２、及びホルダ支持部材１１３等の部材の取り扱い（保管、持ち運び、交換等）を容易に行うことができる。
【符号の説明】
【００８０】
１        コンバイン
４        刈取部
５６      左下部搬送装置
５６ａ    左無端回動チェーン
５７      右下部搬送装置
５７ａ    右無端回動チェーン
１００    挟持機構
１１０    左挟持機構
１１１    左挟持杆
１１２    ガイドホルダ
１１３    ホルダ支持部材
１１４    ホルダフレーム
１２０    右挟持機構
１２１    右挟持杆
１２４    ホルダフレーム
【図１】
2010273570.tif 000003
【図２】
2010273570.tif 000004
【図３】
2010273570.tif 000005
【図４】
2010273570.tif 000006
【図５】
2010273570.tif 000007
【図６】
2010273570.tif 000008
【図７】
2010273570.tif 000009
【図８】
2010273570.tif 000010
【図９】
2010273570.tif 000011
【図１０】
2010273570.tif 000012
【図１１】
2010273570.tif 000013
【図１２】
2010273570.tif 000014